(57)【要約】【課題】複数のセンサを組み合わせて構成した場合であってもセンサ間に検出不可能な領域が形成されない物体検出装置を提供する。【解決手段】車体に設けられた開口を開閉する扉１０の周縁部に沿って延在し隣接する物体を検出する物体検出センサ１００を有する物体検出装置を、物体検出センサは、中間部分において第１のセンサ１２０及び第２のセンサ１１０に分割され、第１のセンサの第２のセンサ側の端部に、クランク状に屈曲したオフセット部１２１が形成され、第２のセンサの第１のセンサ側の端部は、物体検出センサの長手方向において、第１のセンサのオフセット部の少なくとも一部と重なって配置される構成とする。【選択図】図２
2015045504.tif 000002
【特許請求の範囲】
【請求項１】
車体に設けられた開口を開閉する扉の周縁部に沿って延在し隣接する物体を検出する物体検出センサを有する物体検出装置であって、
前記物体検出センサは、中間部分において第１のセンサ及び第２のセンサに分割され、
前記第１のセンサの前記第２のセンサ側の端部に、クランク状に屈曲して形成され他部に対してオフセットされたオフセット部が形成され、
前記第２のセンサの前記第１のセンサ側の端部は、前記物体検出センサの長手方向において、前記第１のセンサのオフセット部の少なくとも一部と重なって配置されること
を特徴とする物体検出装置。
【請求項２】
前記第１のセンサの前記オフセット部と前記第２のセンサの前記第１のセンサ側の端部が重なって配置された領域においては、前記第１のセンサ、前記第２のセンサがともに前記車体と前記扉との間に挟み込まれる物体の検出が可能なように配置されること
を特徴とする請求項１に記載の物体検出装置。
【発明の詳細な説明】
【技術分野】
【０００１】
本発明は、車両用開閉扉に設けられる物体検出装置に関し、特に、複数のセンサを組み合わせて構成した場合であってもセンサ間に検出不可能な領域が形成されないものに関する。
【背景技術】
【０００２】
自動車等の車両において、利便性を向上するため、車体後部に設けられる開閉式の扉であるリアゲートの開閉を、電動アクチュエータによって駆動するもの（パワーリアゲート）が提案されている。
このような電動式の開閉扉においては、ユーザの手指やその他の物体を挟み込むことを防止するため、扉の端部と車体との間に存在する物体を検出する物体検出装置（挟み込み検出装置）が設けられる。
【０００３】
このような物体検出装置に関する従来技術として、例えば特許文献１には、車体に設けられ複数の感度レベルを切り換え可能な静電容量センサを用いた自動車用閉鎖パネルの挟み込み防止装置が記載されている。
【先行技術文献】
【特許文献】
【０００４】
【特許文献１】特開２００５−５０７０３８号公報
【発明の概要】
【発明が解決しようとする課題】
【０００５】
上述したような物体検出装置のセンサは、これが設けられるリアゲート等の扉の形状やサイズによっては、単一のセンサによって構成することが困難であり、複数のセンサに分割して構成する場合がある。
例えば、リアゲートの側辺部に設けられるセンサを、上下に２分割して構成する場合がある。
【０００６】
しかし、このように複数のセンサを配列した場合、センサの分割箇所において物体の検出が不可能な領域が形成されてしまう。
上述した問題に鑑み、本発明の課題は、複数のセンサを組み合わせて構成した場合であってもセンサ間に検出不可能な領域が形成されない物体検出装置を提供することである。
【課題を解決するための手段】
【０００７】
本発明は、以下のような解決手段により、上述した課題を解決する。
請求項１に係る発明は、車体に設けられた開口を開閉する扉の周縁部に沿って延在し隣接する物体を検出する物体検出センサを有する物体検出装置であって、前記物体検出センサは、中間部分において第１のセンサ及び第２のセンサに分割され、前記第１のセンサの前記第２のセンサ側の端部に、クランク状に屈曲して形成され他部に対してオフセットされたオフセット部が形成され、前記第２のセンサの前記第１のセンサ側の端部は、前記物体検出センサの長手方向において、前記第１のセンサのオフセット部の少なくとも一部と重なって配置されることを特徴とする物体検出装置である。
これによれば、物体検出センサにおける第１のセンサと第２のセンサとの分割部において、第１のセンサと第２のセンサを重ねて配置したことによって、検出不可能な領域が形成されることを防止できる。
【０００８】
請求項２に係る発明は、前記第１のセンサの前記オフセット部と前記第２のセンサの前記第１のセンサ側の端部が重なって配置された領域においては、前記第１のセンサ、前記第２のセンサがともに前記車体と前記扉との間に挟み込まれる物体の検出が可能なように配置されることを特徴とする請求項１に記載の物体検出装置である。
これによれば、第１のセンサと第２のセンサとが重なった領域では双方のセンサが物体検出可能であることから、上述した効果をより確実に得ることができる。
【発明の効果】
【０００９】
以上説明したように、本発明によれば、複数のセンサを組み合わせて構成した場合であってもセンサ間に検出不可能な領域が形成されない物体検出装置を提供することができる。
【図面の簡単な説明】
【００１０】
【図１】本発明を適用した物体検出装置の実施例を有するテールゲートの外観図である。
【図２】図１のII−II部矢視断面図である。
【図３】図２のIII部矢視斜視図である。
【図４】図２のIV部矢視斜視図である。
【図５】本発明の比較例の物体検出装置の構成を示す模式図である。
【図６】実施例の物体検出装置の構成を示す模式図である。
【発明を実施するための形態】
【００１１】
本発明は、複数のセンサを組み合わせて構成した場合であってもセンサ間に検出不可能な領域が形成されない物体検出装置を提供する課題を、一対の静電容量センサを車両のリアゲート側辺部の上下に配列するとともに、一方のセンサの端部にクランク状のオフセット部を設け、他方のセンサの端部をオフセット部の一部と上下方向において重ねて配置することによって解決した。
【実施例】
【００１２】
以下、本発明を適用した物体検出装置の実施例について説明する。
実施例の物体検出装置は、例えば、ステーションワゴン型の乗用車のリアゲートに設けられるものである。
リアゲートは、車体のキャビン後部に設けられる開口を開閉する扉である
図１は、実施例の物体検出装置を有するテールゲートの外観図であって、閉状態におけるテールゲートの左半分を車両後方側から見た図である。
図２は、図１のII−II部矢視断面図である。
図３は、図２のIII部矢視斜視図である。
図４は、図２のIV部矢視斜視図である。
リアゲート１０は、例えば、鋼板をプレス加工して形成されたアウタパネル１１及びインナパネル１２（図２参照）を、ヘミング加工等によって閉じ合わせて、中空となるように形成されている。
【００１３】
リアゲート１０は、実質的に矩形の蓋状部材として形成され、車体Ｂ（図１においては図示しない。図２を参照。）の後部に設けられたリアゲート開口を開閉可能となっている。
リアゲート１０は、上端部近傍に設けられた図示しないヒンジによって、車幅方向に沿った軸回りに回動可能となっている。
リアゲート１０は、閉状態における下端部を後方側から上方側へ振り上げる方向に回動することによって、リアゲート開口を開き、車両後方の外部からキャビン、ラゲッジスペース内へのアクセスを可能とする。
また、リアゲート１０は、図示しないリアゲート駆動装置によって、ユーザのスイッチ操作等に応じて開閉駆動されるいわゆるパワーリアゲートとなっている。
【００１４】
リアゲート１０は、閉状態においては上下方向にほぼ沿って配置されるとともに、側面視においては中央部が後方側へ突出するよう屈曲して形成されている。
リアゲート１０の上半部は、上端部が前進するように前傾して配置されるとともに、リアウインドウ１３が設けられている。
図１に示すように、リアウインドウ１３は、アウタパネル１１及びインナパネル１２に形成された開口Ｏを閉塞するように、ガラス１４を配置して構成されている。
ガラス１４の側端部には、ウェザーストリップ１５、トリム１６が設けられている。
ウェザーストリップ１５は、リアゲート１０を閉じた際に車体Ｂとの間に形成される隙間を塞いで雨水等の進入を防止するゴム製の部材である。
トリム１６は、例えばＰＰ樹脂等によって形成された内装部材である。
【００１５】
また、図３、図４に示すように、リアゲート１０の側端部におけるリアウインドウ１３の側部には、リアゲートダンパ１７が設けられている。
リアゲートダンパ１７は、その両端部が車体Ｂ及びリアゲート１０にそれぞれ揺動可能に連結され、リアゲート１０の開閉に応じて伸縮するガス封入ダンパである。
【００１６】
リアゲート１０の側辺部には、物体検出装置の物体検出センサ１００が設けられている。
物体検出センサ１００は、リアゲート１０の側辺部における実質的に全高にわたって延在しており、アッパセンサ１１０、ロワセンサ１２０に上下二分割された静電容量式の近接センサである。
物体検出センサ１００の出力は、図示しない情報処理装置に伝達され、情報処理装置は出力電圧の変化に基づいて、センサに近接する物体を検出する。
そして、リアゲート１０の閉駆動時に物体を検出した場合には、挟み込みが発生する可能性があるものとして、リアゲート駆動装置にリアゲート１０の駆動を停止又は反転させる。
【００１７】
アッパセンサ１１０は、リアゲート１０の上端部近傍から、リアウインドウ１３の下端部近傍にかけて配置されている。
ロワセンサ１２０は、アッパセンサ１１０の下端部近傍から、リアゲート１０の下端部近傍にかけて配置されている。
アッパセンサ１１０、ロワセンサ１２０は、リアゲート１０の形状（意匠）に適合するように、適宜湾曲したチューブ状に形成されている。
アッパセンサ１１０、ロワセンサ１２０は、トリム１６の表面部に、車体Ｂ側に露出するように固定されている。
【００１８】
ロワセンサ１２０の上端部近傍の領域には、クランク状に屈曲して形成され、他の部分に対してオフセットして配置されたオフセット部１２１が形成されている。
オフセット部１２１のロワセンサ１２０本体部側の端部においては、短い間隔でほぼ直角かつ反対方向に屈曲させた一対の屈曲部が形成されている。
オフセット部１２１は、アッパセンサ１１０の下端部近傍の領域と、上下方向（物体検出センサ１００の長手方向）における位置が重なるように配置されている。
オフセット部１２１は、図３、図４に示すように、ロワセンサ１２０の他部に対して車幅方向内側かつ車両前方側となるように、オフセットされている。
【００１９】
また、ロワセンサ１２０のオフセット部１２１は、図２に示すように、アッパセンサ１１０の下端部に対して、車両前方側かつ車幅方向内側に配置されている。
図２に示す断面においては、アッパセンサ１１０から車体Ｂまでの間隔と、ロワセンサ１２０のオフセット部１２１から車体Ｂまでの間隔とは、実質的に同程度に設定され、この部分においては、アッパセンサ１１０、ロワセンサ１２０の双方が、車体Ｂとの間に介在する物体を検出可能となっている。
アッパセンサ１１０の下端部と、ロワセンサ１２０の上端部との間は、Ｓ字状に折り返すよう屈曲し、中間部にコネクタを有する配線１３０によって接続されている。
【００２０】
次に、上述した実施例の効果について、以下説明する本発明の比較例と対比して説明する。
比較例の説明において、上述した実施例と実質的に共通する箇所については同じ符号を付して説明を省略し、主に相違点について説明する。
図５は、本発明の比較例の物体検出装置の構成を示す模式図である。
比較例の物体検出装置の物体検出センサ１００においては、ロワセンサ１２０にオフセット部１２１を設けず、アッパセンサ１１０の下端部端面と、ロワセンサ１２０の上端部端面とは、上下方向に間隔を隔てて対向して配置されている。
このような比較例においては、アッパセンサ１１０とロワセンサ１２０それぞれの検知エリアの間に、検知不可能エリアが形成されることは避けられない。
【００２１】
図６は、実施例の物体検出装置の構成を示す模式図である。
実施例においては、ロワセンサ１２０にクランク状に屈曲して形成されたオフセット部１２１が設けられ、オフセット部１２１をアッパセンサ１１０の下端部と上下方向における位置が重なるように配置したことによって、これらの交差領域においても物体を検出することができる。
また、交差領域の上下は、それぞれアッパセンサ１１０、ロワセンサ１２０単独の検知エリアとなっていることから、実施例によれば、リアゲート１０の上端部近傍から下端部近傍まで、実質的に全範囲にわたって物体を検出することができる。
【００２２】
以上説明したように、本実施例によれば、以下の効果を得ることができる。
（１）物体検出センサ１００におけるアッパセンサ１１０とロワセンサ１２０との分割部において、アッパセンサ１１０とロワセンサ１２０のオフセット部１２１とを重ねて配置したことによって、検出不可能な領域が形成されることを防止できる。
（２）アッパセンサ１１０とロワセンサ１２０のオフセット部１２１とが重なった領域では双方のセンサが物体検出可能であることから、上述した効果をより確実に得ることができる。
【００２３】
（変形例）
本発明は、以上説明した実施例に限定されることなく、種々の変形や変更が可能であって、それらも本発明の技術的範囲内である。
物体検出装置を構成する各部材の形状、構造、材質、製法、配置、数量等は、上述した実施例に限定されることなく、適宜変更することができる。
例えば、実施例の物体検出装置においては、センサを２分割した構成としているが、３分割以上としてもよい。
また、実施例では、下側のセンサにオフセット部を形成しているが、上側のセンサにオフセット部を形成してもよい。
また、実施例の物体検出装置は、例えば、リアゲートの側辺部に設けられるものであるが、リアゲートの下辺部や、車両側部のドア、トランクリッド等の他の開閉扉に設けられるものであってもよい。
【符号の説明】
【００２４】
１０    リアゲート                １１    アウタパネル
１２    インナパネル              １３    リアウインドウ
１４    ガラス                    １５    ウェザーストリップ
１６    トリム                    １７    リアゲートダンパ
Ｏ    開口
１００    物体検出センサ          １１０    アッパセンサ
１２０    ロワセンサ              １２１    オフセット部
１３０    配線
【図１】
2015045504.tif 000003
【図２】
2015045504.tif 000004
【図３】
2015045504.tif 000005
【図４】
2015045504.tif 000006
【図５】
2015045504.tif 000007
【図６】
2015045504.tif 000008